(57)【要約】【課題】ポストの形状の自由度に必須的な制約が課される問題がある。【解決手段】施錠具（４００）は、ポストを有する第１引手（９０ｐ）と、ポストが挿通される開口（Ｐ４０）を少なくとも部分的に画定するリング状部材（４０）、及びリング状部材（４０）の変形又は変位を制限して開口（Ｐ４０）の拡大を制限可能である収容器（１０）を備える第２引手（９０ｑ）と、を備える。収容器（１０）にはリング状部材（４０）に対して押圧可能である押圧部（１０ｍ）が設けられ、リング状部材（４０）には押圧部（１０ｍ）により押圧され得る少なくとも１つの被押圧部（４０ｍ）が設けられ、開口（Ｐ４０）へのポストの挿入方向の周りの周方向において押圧部（１０ｍ）と被押圧部（４０ｍ）の相対位置が変更可能である。鍵部材（６０）は、リング状部材（４０）に間接的に作用して周方向において押圧部（１０ｍ、５０ｍ）と被押圧部（４０ｍ）の相対位置を調整可能に構成される。【選択図】図２
2014105571.tif 000002
【特許請求の範囲】
【請求項１】
ポスト（１０５）を有する雄部材（８０ｐ、９０ｐ、２２０、４１０）と、
前記ポスト（１０５）が挿通される開口（Ｐ４０）を少なくとも部分的に画定する第１部材（４０）、及び前記第１部材（４０）の変形又は変位を制限して前記開口（Ｐ４０）の拡大を制限可能である第２部材（１０、５０）を備える雌部材（９０ｑ、２１０、４３０）であって、前記第２部材（１０、５０）には前記第１部材（４０）に対して接触可能である少なくとも１つの接触部（１０ｍ、５０ｍ）が設けられ、前記第１部材（４０）には前記接触部（１０ｍ、５０ｍ）により接触され得る少なくとも１つの被接触部（４０ｍ）が設けられ、前記開口（Ｐ４０）への前記ポスト（１０５）の挿入方向の周りの周方向において前記接触部（１０ｍ、５０ｍ）と前記被接触部（４０ｍ）の相対位置が変更可能である、雌部材（９０ｑ、２１０、４３０）と、
前記第１部材（４０）と前記第２部材（１０、５０）の少なくとも一方に直接的又は間接的に作用して前記周方向において前記接触部（１０ｍ、５０ｍ）と前記被接触部（４０ｍ）の相対位置を調整可能に構成された鍵部材（６０）と、を備える、施錠具。
【請求項２】
前記第１部材（４０）は、前記開口（Ｐ４０）への前記ポスト（１０５）の挿通に応じて変位可能、かつ当該第１部材（４０）に含まれる少なくとも１つの弾性部材（４９）の弾性に応じて元位置へ復帰可能に構成される、請求項１に記載の施錠具。
【請求項３】
前記第２部材（１０）は、前記第１部材（４０）を収容する収容器（１０）を含み、
前記第１部材（４０）は、環状部材が２以上に分割されて生じる複数の分割片（４５ｐ、４５ｑ）と、前記分割片（４５ｐ、４５ｑ）と前記収容器（１０）の間に配置された少なくとも１つの弾性部材（４９）を含む、請求項１又は２に記載の施錠具。
【請求項４】
前記弾性部材（４９）が、前記周方向に沿って延びる板バネである、請求項３に記載の施錠具。
【請求項５】
前記第１部材（４０）が弾性部材であり、前記第１部材（４０）の前記被接触部（４０ｍ）が前記第２部材（１０）側へ突出する突出部である、請求項１に記載の施錠具。
【請求項６】
前記第２部材（１０）の前記接触部（１０ｍ）が前記第１部材（４０）側へ突出した突出部である、請求項１乃至５のいずれか一項に記載の施錠具。
【請求項７】
前記鍵部材（６０）が前記第１部材（４０）に対して間接的に作用する、請求項１乃至６のいずれか一項に記載の施錠具（４００）であって、
前記鍵部材（６０）が係合する部材であり、かつ前記鍵部材（６０）から前記第１部材（４０）への回転力の伝達を中継する鍵被係合部（５０）を更に備える、施錠具。
【請求項８】
前記第１部材（４０）の前記被接触部（４０ｍ）と前記第２部材（１０、５０）の前記接触部（１０ｍ、５０ｍ）が対向していない状態において、
前記被接触部（４０ｍ）と前記開口（Ｐ４０）の中心を通る前記第１部材（４０）の直径（Ｒａ）が、前記接触部（１０ｍ、５０ｍ）と前記開口（Ｐ４０）の中心を通る前記第２部材（１０、５０）の直径（Ｒｂ）よりも大きい、請求項１乃至７のいずれか一項に記載の施錠具。
【請求項９】
前記収容器（１０）には前記鍵被係合部（５０）の回転範囲を所定の角度範囲に規制する停止部（１２ｋ）が設けられ、
前記停止部（１２ｋ）による前記鍵被係合部（５０）の第１の停止位置において前記接触部（１０ｍ、５０ｍ）と前記被接触部（４０ｍ）が非対向であり、
前記停止部（１２ｋ）による前記鍵被係合部（５０）の第２の停止位置において前記接触部（１０ｍ、５０ｍ）と前記被接触部（４０ｍ）が対向する、請求項７に記載の施錠具。
【請求項１０】
前記雌部材は、ファスナー用スライダー（８０）の引手（９０）である、請求項１乃至９のいずれか一項に記載の施錠具。
【請求項１１】
前記雌部材が雌ホック（２１０）であり、当該雌ホック（２１０）がファスナー用スライダー（８０）の引手（９０）に設けられる、請求項１乃至７のいずれか一項に記載の施錠具。
【請求項１２】
前記雌部材（２１０）は、前記鍵部材（６０）が係合する鍵被係合部（５０）を含み、
前記鍵被係合部（５０）は、前記鍵部材（６０）から前記第１部材（４０）への回転力の伝達を中継するように設けられる、請求項１０又は１１に記載の施錠具であって、
前記雌部材（２１０）は、施錠状態にて前記鍵被係合部（５０）が表面側になるように前記引手（９０）の引手本体（９１）に設けられる、施錠具。
【請求項１３】
前記雄部材がファスナー用スライダー（８０）であり、前記ポスト（１０５）が前記ファスナー用スライダー（８０）のスライダー本体の上面若しくは、前記ファスナー用スライダー（８０）の引手（９０）に設けられる、請求項１乃至１２のいずれか一項に記載の施錠具。
【請求項１４】
前記雄部材（８０ｐ、９０ｐ、２２０、４１０）及び前記雌部材（９０ｑ、２１０、４３０）が、各々、一組のファスナー用スライダー（８０）を連結するための独立した雄型施錠片（４１０）及び雌型施錠片（４３０）である、請求項１乃至７のいずれか一項に記載の施錠具。
【請求項１５】
前記雄型施錠片（４１０）及び雌型施錠片（４３０）は、各々、前記ファスナー用スライダー（８０）の上翼板（８１）及び下翼板（８２）の一方と引手取付柱（８６）の間の空間に挿入可能な脚部（４１２、４３２）を含む、請求項１４に記載の施錠具。
【請求項１６】
ポスト（１０５）を有する雄部材（８０ｐ、９０ｐ、２２０、４１０）と、
前記ポスト（１０５）が挿通される開口（Ｐ４０）を少なくとも部分的に画定する第１部材（４０）、及び前記第１部材（４０）の変形又は変位を制限して前記開口（Ｐ４０）の拡大を制限可能である第２部材（１０、５０）を備える雌部材（９０ｑ、２１０、４３０）であって、前記第２部材（１０、５０）には前記第１部材（４０）に対して接触可能である少なくとも１つの接触部（１０ｍ、５０ｍ）が設けられ、前記第１部材（４０）には前記接触部（１０ｍ、５０ｍ）により接触され得る少なくとも１つの被接触部（４０ｍ）が設けられ、前記開口（Ｐ４０）への前記ポスト（１０５）の挿入方向の周りの周方向において前記接触部（１０ｍ、５０ｍ）と前記被接触部（４０ｍ）の相対位置が変更可能である、雌部材（９０ｑ、２１０、４３０）と、
前記第１部材（４０）と前記第２部材（１０、５０）の少なくとも一方に直接的又は間接的に作用して前記周方向において前記接触部（１０ｍ、５０ｍ）と前記被接触部（４０ｍ）の相対位置を調整可能に構成された鍵部材（６０）と、を備える、施錠具（４００）の使用方法であって、
前記鍵部材（６０）により前記接触部（１０ｍ、５０ｍ）と前記被接触部（４０ｍ）の相対位置を調整し、前記接触部（１０ｍ、５０ｍ）と前記被接触部（４０ｍ）を対向させるステップと、
前記鍵部材（６０）により前記接触部（１０ｍ、５０ｍ）と前記被接触部（４０ｍ）の相対位置を調整し、前記接触部（１０ｍ、５０ｍ）と前記被接触部（４０ｍ）を対向させないステップと、を含む、施錠具の使用方法。
【発明の詳細な説明】
【技術分野】
【０００１】
本発明は、施錠具及び施錠具の使用方法に関する。
【背景技術】
【０００２】
特許文献１には、必要時にロックを行うことができる鍵付きスナップホックが開示されている。より詳細には、同文献の図２に示す雄ホック（２）のタボ（４）が雌ホック（１）に受容された状態で雌ホック（１）の回転部材（９）が回転され、かつこれと一緒に雌ホック（１）のロック片（２４）も回転し、この結果として図２に示すタボ（４）の先端拡大部（４２）の上面の長軸Ａと図４に示すロック片（２４）の開口部（３０）の長軸Ａ’’が交差してロック片（２４）の開口部（３０）からタボ（４）が抜け出せなくなる、つまり雌ホック（１）と雄ホック（２）がロックする。回転部材（９）の鍵当接部（１９）の表面部には、凹状の所定文字、図柄、模様、…等の反転鍵パターン（２３）が形成され、同文献の図１の場合、Ｔ字状の雌型鍵パターンが形成される。
【０００３】
特許文献２には、スライダーの引手同士等を簡単な機構で係合させ、ファスナーチェーンの開口を防ぎ、かつ施錠ができるスライダーが開示されている。より詳細には、同文献の図１乃至図３に示すように、一方のスライダー（２）の引手（３）の係合凹部（８）を他方のスライダー（２）の引手（３）の係合凸部（７）に嵌合し、係合凹部（８）の透孔（９）と係合凸部（７）の透孔（９）とが合致して表裏に貫通し、その後、錠前（３０）の錠杆（３１）を挿通して施錠する。なお、各引手（３）の重合時、一方のスライダー（２）の引手（３）の長孔（１３）に他方のスライダー（２）の引手取付部（１２）が嵌入される。
【先行技術文献】
【特許文献】
【０００４】
【特許文献１】特開２０１３−１４９１７号公報
【特許文献２】特開２００４−４９５０３号公報
【発明の概要】
【発明が解決しようとする課題】
【０００５】
特許文献１の場合には、上面視楕円形状のタボ（４）と正面視楕円形状の開口が設けられたロック片（２４）の形状の組み合わせによりロックを実現するが、タボ（４）やロック片（２４）の形状の自由度に顕著な制約があり、非限定的かつ例示的に述べれば、上面視正円形状のポストの汎用の雄ホックの構成を活用することができない。また、組み合わせの時にダボ（４）とロック片（２４）の向きを合わせる必要があり、操作が煩雑になってしまう。なお、特許文献２では、南京錠などの錠前を別に準備し持っておく必要があり、簡易的にロックするには不向きである。
【課題を解決するための手段】
【０００６】
本発明に係る施錠具は、ポスト（１０５）を有する雄部材（８０ｐ、９０ｐ、２２０、４１０）と、前記ポスト（１０５）が挿通される開口（Ｐ４０）を少なくとも部分的に画定する第１部材（４０）、及び前記第１部材（４０）の変形又は変位を制限して前記開口（Ｐ４０）の拡大を制限可能である第２部材（１０、５０）を備える雌部材（９０ｑ、２１０、４３０）であって、前記第２部材（１０、５０）には前記第１部材（４０）に対して接触可能である少なくとも１つの接触部（１０ｍ、５０ｍ）が設けられ、前記第１部材（４０）には前記接触部（１０ｍ、５０ｍ）により接触され得る少なくとも１つの被接触部（４０ｍ）が設けられ、前記開口（Ｐ４０）への前記ポスト（１０５）の挿入方向の周りの周方向において前記接触部（１０ｍ、５０ｍ）と前記被接触部（４０ｍ）の相対位置が変更可能である、雌部材（９０ｑ、２１０、４３０）と、前記第１部材（４０）と前記第２部材（１０、５０）の少なくとも一方に直接的又は間接的に作用して前記周方向において前記接触部（１０ｍ、５０ｍ）と前記被接触部（４０ｍ）の相対位置を調整可能に構成された鍵部材（６０）と、を備える。
【０００７】
前記第１部材（４０）は、前記開口（Ｐ４０）への前記ポスト（１０５）の挿通に応じて変位可能、かつ当該第１部材（４０）に含まれる少なくとも１つの弾性部材（４９）の弾性に応じて元位置へ復帰可能に構成される、と良い。
【０００８】
前記第２部材（１０）は、前記第１部材（４０）を収容する収容器（１０）を含み、
前記第１部材（４０）は、環状部材が２以上に分割されて生じる複数の分割片（４５ｐ、４５ｑ）と、前記分割片（４５ｐ、４５ｑ）と前記収容器（１０）の間に配置された少なくとも１つの弾性部材（４９）を含む、と良い。
【０００９】
前記弾性部材（４９）が、前記周方向に沿って延びる板バネである、と良い。
【００１０】
前記第１部材（４０）が弾性部材であり、前記第１部材（４０）の前記被接触部（４０ｍ）が前記第２部材（１０）側へ突出する突出部である、と良い。
【００１１】
前記第２部材（１０）の前記接触部（１０ｍ）が前記第１部材（４０）側へ突出した突出部である、と良い。
【００１２】
前記鍵部材（６０）が前記第１部材（４０）に対して間接的に作用する場合において、前記鍵部材（６０）が係合する部材であり、かつ前記鍵部材（６０）から前記第１部材（４０）への回転力の伝達を中継する鍵被係合部（５０）を更に備える、と良い。
【００１３】
前記第１部材（４０）の前記被接触部（４０ｍ）と前記第２部材（１０、５０）の前記接触部（１０ｍ、５０ｍ）が対向していない状態において、前記被接触部（４０ｍ）と前記開口（Ｐ４０）の中心を通る前記第１部材（４０）の直径（Ｒａ）が、前記接触部（１０ｍ、５０ｍ）と前記開口（Ｐ４０）の中心を通る前記第２部材（１０、５０）の直径（Ｒｂ）よりも大きい、と良い。施錠状態と開錠状態の変化を感覚的に把握しやすくなる。
【００１４】
前記収容器（１０）には前記鍵被係合部（５０）の回転範囲を所定の角度範囲に規制する停止部（１２ｋ）が設けられ、前記停止部（１２ｋ）による前記鍵被係合部（５０）の第１の停止位置において前記接触部（１０ｍ、５０ｍ）と前記被接触部（４０ｍ）が非対向であり、前記停止部（１２ｋ）による前記鍵被係合部（５０）の第２の停止位置において前記接触部（１０ｍ、５０ｍ）と前記被接触部（４０ｍ）が対向する、と良い。施錠及び開錠の操作感を付与することができる。
【００１５】
前記雌部材は、ファスナー用スライダー（８０）の引手（９０）である、と良い。
【００１６】
前記雌部材が雌ホック（２１０）であり、当該雌ホック（２１０）がファスナー用スライダー（８０）の引手（９０）に設けられる、と良い。
【００１７】
前記雌部材（２１０）は、前記鍵部材（６０）が係合する鍵被係合部（５０）を含み、
前記鍵被係合部（５０）は、前記鍵部材（６０）から前記第１部材（４０）への回転力の伝達を中継するように設けられる場合において、前記雌部材（２１０）は、施錠状態にて前記鍵被係合部（５０）が表面側になるように前記引手（９０）の引手本体（９１）に設けられる、と良い。
【００１８】
前記雄部材がファスナー用スライダー（８０）であり、前記ポスト（１０５）が前記ファスナー用スライダー（８０）のスライダー本体の上面若しくは、前記ファスナー用スライダー（８０）の引手（９０）に設けられる、と良い。
【００１９】
前記雄部材（８０ｐ、９０ｐ、２２０、４１０）及び前記雌部材（９０ｑ、２１０、４３０）が、各々、一組のファスナー用スライダー（８０）を連結するための独立した雄型施錠片（４１０）及び雌型施錠片（４３０）である、と良い。
【００２０】
前記雄型施錠片（４１０）及び雌型施錠片（４３０）は、各々、前記ファスナー用スライダー（８０）の上翼板（８１）及び下翼板（８２）の一方と引手取付柱（８６）の間の空間に挿入可能な脚部（４１２、４３２）を含む、と良い。
【００２１】
本発明に係る施錠具の使用方法は、ポスト（１０５）を有する雄部材（８０ｐ、９０ｐ、２２０、４１０）と、前記ポスト（１０５）が挿通される開口（Ｐ４０）を少なくとも部分的に画定する第１部材（４０）、及び前記第１部材（４０）の変形又は変位を制限して前記開口（Ｐ４０）の拡大を制限可能である第２部材（１０、５０）を備える雌部材（９０ｑ、２１０、４３０）であって、前記第２部材（１０、５０）には前記第１部材（４０）に対して接触可能である少なくとも１つの接触部（１０ｍ、５０ｍ）が設けられ、前記第１部材（４０）には前記接触部（１０ｍ、５０ｍ）により接触され得る少なくとも１つの被接触部（４０ｍ）が設けられ、前記開口（Ｐ４０）への前記ポスト（１０５）の挿入方向の周りの周方向において前記接触部（１０ｍ、５０ｍ）と前記被接触部（４０ｍ）の相対位置が変更可能である、雌部材（９０ｑ、２１０、４３０）と、前記第１部材（４０）と前記第２部材（１０、５０）の少なくとも一方に直接的又は間接的に作用して前記周方向において前記接触部（１０ｍ、５０ｍ）と前記被接触部（４０ｍ）の相対位置を調整可能に構成された鍵部材（６０）と、を備える、施錠具（４００）の使用方法であって、前記鍵部材（６０）により前記接触部（１０ｍ、５０ｍ）と前記被接触部（４０ｍ）の相対位置を調整し、前記接触部（１０ｍ、５０ｍ）と前記被接触部（４０ｍ）を対向させるステップと、前記鍵部材（６０）により前記接触部（１０ｍ、５０ｍ）と前記被接触部（４０ｍ）の相対位置を調整し、前記接触部（１０ｍ、５０ｍ）と前記被接触部（４０ｍ）を対向させないステップと、を含む。
【発明の効果】
【００２２】
本発明によれば、ポストの形状の自由度に必須的な制約が課されることを解消できる。
【図面の簡単な説明】
【００２３】
【図１】本発明の第１実施形態に係るスライドファスナーの概略的な正面図であり、隣合うファスナースライダーの引手の連結状態を示す。
【図２】本発明の第１実施形態に係るスライドファスナーの概略的な正面図であり、隣合うファスナースライダーの引手の連結解除状態を示す。
【図３】本発明の第１実施形態に係るスライドファスナーの隣合うファスナースライダーの引手の連結及び連結解除を切り替えるための鍵部材を概略的に示す斜視図であり、（ａ）〜（ｄ）で鍵部材の構成例を例示的に示す。
【図４】弾性を有するリング状部材の開口の拡大を制限する構造例を水平断面にて示す。
【図５】弾性を有するリング状部材の開口の拡大を制限する構造例を水平断面にて示す。
【図６】弾性を有しないリング状部材の開口の拡大を制限する構造例を水平断面にて示す。
【図７】弾性を有しないリング状部材の開口の拡大を制限する構造例を水平断面にて示す。
【図８】弾性を有しないリング状部材の開口の拡大を制限する構造例を水平断面にて示す。
【図９】弾性を有しないリング状部材の開口の拡大を制限する構造例を水平断面にて示す。
【図１０】図４に例示的に示した弾性を有するリング状部材を雌ホックに内蔵したホックの概略的な垂直断面模式図である。
【図１１】雌ホックの概略的な上面模式図及びこの上面模式図の一点破線Ｘ１１−Ｘ１１間の垂直断面模式図である。
【図１２】雄ホックの概略的な上面模式図及びこの上面模式図の一点破線Ｘ１２−Ｘ１２間の垂直断面模式図である。
【図１３】雌ホックと雄ホックのスナップ係合を説明するための概略的な垂直断面模式図である。
【図１４】雌ホックと雄ホックのスナップ係合を説明するための概略的な垂直断面模式図である。
【図１５】回転範囲の規制構造の一例を示す水平断面模式図である。
【図１６】回転範囲の規制構造の一例を示す部分的な垂直断面模式図である。
【図１７】図６に例示的に示した弾性を有しないリング状部材を内蔵する雌ホックを含むホックの上面模式図及びこの上面模式図の一点破線Ｘ１７−Ｘ１７間の垂直断面模式図である。
【図１８】弾性を有しないリング状部材の上面模式図及びこの上面模式図の一点破線Ｘ１８−Ｘ１８間の垂直断面模式図である。
【図１９】リング状部材を構成するＵ字部を元位置へ復帰させるための板バネの模式図である。
【図２０】雌ホックと雄ホックのスナップ係合後の状態を示す概略的な垂直断面模式図である。
【図２１】ロック状態の雌ホックと雄ホックのポスト頭部を示す概略的な部分的な垂直断面模式図である。
【図２２】本発明の第２実施形態に係るスライドファスナーの隣合うファスナースライダーが連結状態にある概略的な側面図であり、模式説明のため雄ホックと雌ホックを断面視して示す。
【図２３】本発明の第２実施形態に係るスライドファスナーの隣合うファスナースライダーが連結状態にある概略的な上面図である。
【図２４】本発明の第２実施形態に係るスライドファスナーの隣合うファスナースライダーが連結解除状態にある概略的な側面図であり、模式説明のため雄ホックと雌ホックを断面視して示す。
【図２５】本発明の第２実施形態に係るスライドファスナーに組み込まれたホックの概略的な断面模式図を示す。
【図２６】本発明の第３実施形態に係るスライドファスナーのファスナースライダーの概略的な側面図である。
【図２７】本発明の第３実施形態に係るスライドファスナーのファスナースライダーの概略的な上面図である。
【図２８】本発明の第４実施形態に係るスライドファスナーの概略的な正面図であり、雄フックがファスナーテープに設けられる例を示す。
【図２９】本発明の第５実施形態に係るスライドファスナーが組み込まれた鞄の概略的な斜視図であり、ファスナースライダーの引手と鞄に設けられた雄ホックを併せて示す。
【図３０】本発明の第６実施形態に係るスライドファスナーの引手の概略的な斜視図である。
【図３１】本発明の第７実施形態に係るスライドファスナーの引手の概略的な上面図である。
【図３２】本発明の第８実施形態に係るスライドファスナーの概略的な斜視図であり、隣合うファスナースライダーが別体の施錠具により連結されている状態を示す。
【図３３】図３２に示した施錠具の分離状態の概略的な上面図である。
【図３４】図３２に示した施錠具の連結状態の概略的な上面図であり、隣合うファスナースライダーが連結された状態を示す。
【図３５】図３４に示す状態の施錠具のＸ３５−Ｘ３５に沿う概略的な断面図である。
【図３６】第９実施形態に係る施錠具を示す概略的な模式図である。
【図３７】第９実施形態に係る施錠具の雌型施錠片の構成を示す模式図である。
【図３８】第９実施形態に係る施錠具の雄型施錠片の構成を示す模式図である。
【図３９】第９実施形態に係る施錠具を鞄の防犯用具として用いた状態を示す説明図である。
【図４０】第１０実施形態に係るホックを鞄に用いた状態を示す説明図である。
【発明を実施するための形態】
【００２４】
以下、図面を参照しつつ、本発明の実施の形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、発明説明を主目的とするものであり、適宜、簡略化されている。
【００２５】
＜第１実施形態＞
以下、図１乃至２１を参照して第１実施形態について説明する。図１は、スライドファスナーの概略的な正面図であり、隣合うファスナースライダーの引手の連結状態を示す。図２は、スライドファスナーの概略的な正面図であり、隣合うファスナースライダーの引手の連結解除状態を示す。図３は、スライドファスナーの隣合うファスナースライダーの引手の連結及び連結解除を切り替えるための鍵部材を概略的に示す斜視図であり、（ａ）〜（ｄ）で鍵部材の構成例を例示的に示す。図４及び図５は、弾性を有するリング状部材の開口の拡大を制限する構造例を水平断面にて示す。図６乃至図９は、弾性を有しないリング状部材の開口の拡大を制限する構造例を水平断面にて示す。図１０は、図４に例示的に示した弾性を有するリング状部材を雌ホックに内蔵したホックの概略的な垂直断面模式図である。図１１は、雌ホックの概略的な上面模式図及びこの上面模式図の一点破線Ｘ１１−Ｘ１１間の垂直断面模式図である。図１２は、雄ホックの概略的な上面模式図及びこの上面模式図の一点破線Ｘ１２−Ｘ１２間の垂直断面模式図である。図１３は、雌ホックと雄ホックのスナップ係合を説明するための概略的な垂直断面模式図である。図１４は、雌ホックと雄ホックのスナップ係合を説明するための概略的な垂直断面模式図である。図１５は、回転範囲の規制構造の一例を示す水平断面模式図である。図１６は、回転範囲の規制構造の一例を示す部分的な垂直断面模式図である。図１７は、図６に例示的に示した弾性を有しないリング状部材を内蔵する雌ホックを含むホックの上面模式図及びこの上面模式図の一点破線Ｘ１７−Ｘ１７間の垂直断面模式図である。図１８は、弾性を有しないリング状部材の上面模式図及びこの上面模式図の一点破線Ｘ１８−Ｘ１８間の垂直断面模式図である。図１９は、リング状部材を構成するＵ字部を元位置へ復帰させるための板バネの模式図である。図２０は、雌ホックと雄ホックのスナップ係合後の状態を示す概略的な垂直断面模式図である。図２１は、ロック状態の雌ホックと雄ホックのポスト頭部を示す概略的な部分的な垂直断面模式図である。
【００２６】
図１及び図２に示すスライドファスナー３００は、一組のファスナーテープ７１（７１ｍ、７１ｎ）の対向側縁に一組のファスナーエレメント７２（７２ｍ、７２ｎ）が一体的に設けられた一組のファスナーストリンガー７０（７０ｍ、７０ｎ）に一組のファスナー用スライダー８０（８０ｐ、８０ｑ）が挿通されたものであり、図１を正面視したときの各ファスナー用スライダー８０の左右移動に応じてスライドファスナー３００の開閉が制御される。なお、ファスナー用スライダー８０ｐ、８０ｑは、前端８０Ｆ同士が突き合わされているが、後端８０Ｒ同士が突き合わされていても良い。
【００２７】
スライドファスナー３００を閉じても、一方のファスナー用スライダー８０の意図しない変位に応じてスライドファスナーが開いてしまうおそれがある。本実施形態においては、この点に鑑みて、各ファスナー用スライダー８０の各引手９０が、雌ホック２１０と雄ホック２２０のスナップ係合に応じて連結可能であり、更に、後述に詳細の雌ホック２１０からの雄ホック２２０のポスト１０５の離脱防止により実質的に「施錠」可能であり、悪意ある第三者による盗難を防止することができる。
【００２８】
一見しても引手９０の重合が「施錠」されているとは理解し難い。従って、スライドファスナー３００を開けようと試みても如何様にして「施錠解除」できるのか自体の理解が容易ではなくなり、当該スライドファスナー３００が設けられる物品の防犯性能を効果的に高めることが期待できる。
【００２９】
図１は各引手９０が重合及び施錠された状態を示し、図２は各引手９０が施錠解除され、互いに分離した状態を示す。図２の状態にて、雄ホック２２０に雌ホック２１０をスナップ係合し、その後、「Ｈ」状の凹部Ｐ５５が設けられた鍵被係合部５０を図３に例示の鍵部材６０で回転し、これにより、雌ホック２１０から雄ホック２２０のポスト１０５が抜き出せない、少なくとも抜き出しにくい状態にできる。これを生じさせるメカニズムについては後述する。
【００３０】
図１及び図２に示すように、各引手９０は、固定端である一端９２と自由端である他端９３を有し、一端９２と他端９３の間でＶ字若しくはＵ字状に屈曲し、これにより、第１引手９０ｐの自由端９３と第２引手９０ｑの自由端９３の簡便な重合が許容される。第１引手９０ｐの固定端９２側ではなく自由端９３近傍に雄ホック２２０が設けられ、第２引手９０ｑの固定端９２側ではなく自由端９３近傍の雌ホック２１０が設けられ、従って、各ホック同士をスナップ係合することに特段の困難は無い。
【００３１】
引手９０の引手本体９１は硬質及び軟質のいずれでも構わない。例えば、引手本体９１は、織物、編物、天然皮革又は人造皮革といったある程度の剛性に柔軟性が付与された素材から成る。若しくは、引手本体９１は、金属、樹脂等の殆ど柔軟性が無い材料から成る。いずれの場合にも本開示の如く引手９０を屈曲形状とすることが各ホック同士のスナップ係合の簡便さを確保するために望ましい。
【００３２】
雌ホック２１０や雄ホック２２０を引手９０に設ける具体的態様は任意であり、ホックとして把握できない態様で雄ホックや雌ホックを引手９０に一体化若しくは組み込んでも良い。雄ホックと引手が一体化される場合、第１引手９０ｐにはポスト１０５のみが設けられ、その他の雄ホック２２０の構成部品が把握できないかもしれない。なお、ポスト１０５は、先端側が基端側に比べて膨大した部分を含む柱状部材であり、中空のものに限らず、中実であっても構わない。雄ホック２２０や雌ホック２１０を引手本体９１に一体的に組み込むことも可能である。
【００３３】
如何様に引手９０が構成されるにしても、後述の説明のように、引手９０に弾性又は非弾性のリング状部材４０を設けることが望ましい。また、引手９０に対して、図３に例示の鍵部材６０が嵌合可能に構成され、かつ鍵部材６０の回転に一緒、換言すれば同調して回転可能である鍵被係合部５０を設けることが望ましい。鍵被係合部５０とリング状部材４０を嵌合により同調回転可能とすることが望ましい。鍵被係合部５０の回転に応じてリング状部材４０の開口Ｐ４０の拡大が制限可能とし、各引手９０同士を係脱不能若しくは係脱困難にすることが望ましい。
【００３４】
図１及び図２から理解できるように、施錠状態において雌ホック２１０の鍵被係合部５０が表面側に配置されるように雌ホック２１０が引手９０の引手本体９１に設けられることが望ましい。これにより、鍵部材６０を鍵被係合部５０に押し付ける際、スライドファスナー３００若しくはこれが取り付けられた鞄等が下支えになり、施錠や開錠の操作が簡便になる。
【００３５】
図３を参照して鍵部材の構成例について説明する。図３に示すように、鍵部材６０は、本体６１の平坦面６２に設けられた「Ｈ」状の凸部６３を有する。凸部６３の正面視形状「Ｈ」は、鍵被係合部５０の凹部Ｐ５５の正面視形状「Ｈ」に鏡像、本例では一致する。Ｈ以外のアルファベットや算用数字や図形等の任意の模様を凸部６３の正面視形状が呈しても構わない。鍵部材６０の紛失時の開錠の余地を残すため、直線部分を含む模様であっても構わない。
【００３６】
図３（ａ）に示すように鍵部材６０を指輪としても良く、これにより、鍵部材６０の紛失を抑制できる。図３（ｂ）に示すように鍵部材６０を印鑑状、より一般的には柱状としても良く、これにより、雌ホック２１０の鍵被係合部５０を簡便に回転できる。図３（ｃ）に示すように鍵部材６０を摘まみ状としても良く、これにより、雌ホック２１０の鍵被係合部５０を簡便に回転できる。図３（ｄ）に示すように鍵部材６０を別のファスナースライダーの引手とし、同一の鞄等に設けても良く、この場合には、鍵部材６０の紛失が生じないだろう。
【００３７】
スライドファスナー３００の構成について、念のため以下に説明する。
【００３８】
ファスナーテープ７１は、織物又は編み物等であり、必要に応じて防水加工が施される。ファスナーエレメント７２は、金属や樹脂製の個別エレメントがファスナーテープ７１の対向側縁の芯紐に一体的に設けられたものであるが、一連のコイルエレメントであっても構わない。ファスナー用スライダー８０は、他の実施形態に関する図２２も併せて参照すると、上翼板８１、上翼板８１に対向し、かつ平行である下翼板８２、上翼板８１と下翼板８２を前端８０Ｆ側で連結する連結柱８３、上翼板８１の左右の側縁に連結した上部フランジ部８４、下翼板８２の左右の側縁に連結した下部フランジ部８５、上翼板８１の上面に設けられた引手取付柱８６、及び引手取付柱８６に取付けられた引手９０を含む。
【００３９】
ファスナー用スライダー８０の前端８０Ｆ及び後端８０Ｒは、ファスナー用スライダー８０の移動方向に準じて命名している。連結柱８３は、ファスナー用スライダー８０の前端８０Ｆ側に設けられ、これにより、第１ファスナーエレメント７２ｍ用の出入口及び第２ファスナーエレメント７２ｎ用の出入口が、上翼板８１と下翼板８２の間に設けられる。第１ファスナーエレメント７２ｍのエレメント通路と第２ファスナーエレメント７２ｎのエレメント通路が連結柱８３によりファスナー用スライダー８０の前端８０Ｆ側で隔てられる。
【００４０】
図１及び図２に示すように、各引手９０の一端９２を各ファスナー用スライダー８０の後端８０Ｒ側に配置した状態で各引手９０の他端９３同士の重合を許容するサイズや形状に各引手９０を構成することが望ましい。これにより、図１及び図２に示すように、各ファスナー用スライダー８０の前端８０Ｆを突合せ状態とし、如何様にしてもスライドファスナー３００を開き難い状態とすることができる。
【００４１】
以下、図４乃至図９を参照して雌ホック２１０からの雄ホック２２０のポスト１０５の離脱防止を図る構造例について説明する。図４（ａ）及び（ｂ）の対比から把握できるように、弾性を有するリング状部材４０の開口Ｐ４０の拡大が、リング状部材４０を収容する収容器１０に設けられた半径方向内側への凸状の各押圧部１０ｍと、リング状部材４０に設けられた半径方向外側へ凸状の各被押圧部４０ｍの対向により制限される。収容器１０は、本例では金属製の筒状部分であるが、引手本体９０自体で代替しても良い。押圧部１０ｍが十分な剛性を有し、つまりリング状部材４０よりも硬いことが望ましい。リング状部材４０は、鍵被係合部５０に一体又は別体として設けられる。リング状部材４０は、鍵被係合部５０に嵌合される等して鍵被係合部５０の回転に応じて回転可能に構成されると良い。
【００４２】
図４に示すように、円筒状の収容器１０は、狭い内径に対応する押圧部１０ｍが設けられ、円盤状のリング状部材４０には広い直径に対応する被押圧部４０ｍが設けられる。押圧部を「接触部」と呼び、被押圧部を「被接触部」と呼ぶ場合がある。押圧部１０ｍは、半径方向内側に突出した突出部１０ｍ１、１０ｍ２である。突出部１０ｍ１、１０ｍ２は、収容器１０の周壁部が半径方向内側へ凹み、同方向に突出した部分である。突出部１０ｍ１、１０ｍ２は、周方向において１８０度間隔で設けられている。被押圧部４０ｍは、半径方向外側に突出した突出部４０ｍ１、４０ｍ２である。突出部４０ｍ１、４０ｍ２は、周方向において１８０度間隔で設けられ、かつ互いに反対側へ突出している。なお、ここで述べる「周方向」は、開口Ｐ４０へのポスト１０５の挿入方向周りの方向である。
【００４３】
図４（ａ）に示す状態は、リング状部材４０の突出部４０ｍと収容器１０の突出部１０ｍが対向していない「非ロック状態」である。他方、図４（ｂ）に示すとき、リング状部材４０の突出部４０ｍと収容器１０の突出部１０ｍとが対向する「ロック状態」である。
【００４４】
リング状部材４０の被押圧部４０ｍと収容器１０の押圧部１０ｍが対向していない状態において、被押圧部４０ｍと開口Ｐ４０の中心を通るリング状部材４０の直径Ｒａが押圧部１０ｍと開口Ｐ４０の中心を通る収容器１０の直径Ｒｂよりも大きくしても良い。この場合、開錠状態から施錠状態に推移する際、鍵部材６０を回転する際に感じる回転感覚が重くなる。他方、施錠状態から開錠状態に推移する際、鍵部材６０を回転する際に感じる回転感覚が軽くなる。このように施錠状態と開錠状態の相違を感覚的に判別しやすくすることができる。
【００４５】
図４に示す場合にはリング状部材４０が回転するが、リング状部材４０を回転不能としても良い。例えば、図５に示すように、鍵被係合部５０の回転に同調して回転可能な押圧片５０ｍをリング状部材４０の外周に設け、これを押圧部として機能させても良い。この押圧片５０ｍは、例えば、リング状部材４０上にて回転可能に配置の鍵被係合部５０に一体的に設けられた金属製又は樹脂製等の突片であるが、これに限られるべきものではない。この場合、鍵被係合部５０が、後述の第２部材として機能する。
【００４６】
図４及び図５に示す場合にはリング状部材４０が弾性に構成されるが、リング状部材４０を非弾性としても良い。この場合、分割されたリング本体、及びリング本体の分割片を元位置へ復帰させる弾性部材の組み合わせを含めてリング状部材４０を構成すると良い。
【００４７】
図６（ａ）及び（ｂ）の対比から把握できるように、リング本体４２が２分割されたリング状部材４０の開口Ｐ４０の拡大が、リング状部材４０を周囲する収容器１０の押圧部１０ｍとリング本体４２に取付けられた板バネ４９の被押圧部４０ｍの対向により制限される。好適な一例として、図６（ａ）に示すように、環状部材のリング本体４２を２分割した分割片のＵ字部４５と収容器１０の間に弾性部材である板バネ４９を設け、図６（ａ）の点線矢印で示すように板バネ４９の両端が収容器１０を押圧し、Ｕ字部４５の元位置への復帰を確保する。図６に示す場合、リング本体４２及び板バネ４９が鍵被係合部５０に嵌合され、鍵被係合部５０の回転に応じて変位可能である。
【００４８】
リング状部材４０の被押圧部４０ｍと収容器１０の押圧部１０ｍが対向していない状態において、被押圧部４０ｍと開口Ｐ４０の中心を通るリング状部材４０の直径Ｒａが押圧部１０ｍと開口Ｐ４０の中心を通る収容器１０の直径Ｒｂよりも大きくしても良い。この場合、開錠状態から施錠状態に推移する際、鍵部材６０を回転する際に感じる回転感覚が重くなる。他方、施錠状態から開錠状態に推移する際、鍵部材６０を回転する際に感じる回転感覚が軽くなる。このように施錠状態と開錠状態の相違を感覚的に判別しやすくすることができる。この点は、図７及び図８に示す形態に関しても同様に当てはまる。
【００４９】
板バネを用いたＵ字部４５の付勢態様は任意であり、図６に示した態様に限られない。図７に示すように一組のＵ字部４５同士を板バネ４９で元の環を成すように連結しても良い。Ｕ字部４５の各端部には、板バネ４９の端部が挿通される孔又は窪みが設けられる。板バネ４９が、Ｕ字状に構成され、隣合うＵ字部４５の端部同士を連結する。
【００５０】
板バネ４９は必ずしも他の部材に取付けられる必要は無く、例えば、図８に示すようにリング本体４２を構成することにより、リング本体４２や鍵被係合部５０への板バネ４９の取付を省略しつつも、リング本体４２の回転に同調の板バネ４９の変位を確保しても良い。図８に示す場合、Ｕ字部４５に板バネ４９の各端に衝突可能な凸部を設け、リング本体４２の回転に応じて板バネ４９が変位可能である。
【００５１】
図６乃至図８に示す場合には板バネ４９の変位が前提となっているが、必ずしもこの限りではない。例えば、図９に示すように、リング本体４２又は鍵被係合部５０への板バネ４９の係止や嵌合を無くし、リング状部材４０の回転に関わらず板バネ４９を所定位置に居留まらせても良い。
【００５２】
板バネ４９を省略して一か所に欠きが設けられた環状の金属リングをポストのスナップ用に設けても良いが、この場合には、雌ホック２１０の厚みが増加してしまうおそれがある。
【００５３】
図４乃至図９に例示のどの構造を採用する場合にしても、図１に示したスライドファスナー３００は、雄部材として第１引手９０ｐ、雌部材として第２引手９０ｑ、及び鍵部材６０を含む施錠具４００を含んで構成される。雄部材は、ポスト１０５を有する第１引手９０ｐである。雌部材は、第２引手９０ｑである。第２引手９０ｑは、ポスト１０５が挿通される開口Ｐ４０を少なくとも部分的に画定する第１部材、本例ではリング状部材４０を含み、更に、リング状部材４０の変形又は変位を制限して開口Ｐ４０の拡大を制限可能である第２部材、本例では収容器１０を備える。ここで、収容器１０にはリング状部材４０に対して接触可能である少なくとも１つの接触部、本例では押圧部１０ｍが設けられ、リング状部材４０には押圧部１０ｍにより接触され得る少なくとも１つの被接触部、本例では被押圧部４０ｍが設けられる。また、開口Ｐ４０へのポスト１０５の挿入方向の周りの周方向において押圧部１０ｍと被押圧部４０ｍの相対位置が変更可能である。鍵部材６０は、リング状部材４０と収容器１０の少なくとも一方に直接的又は間接的に作用して周方向において押圧部１０ｍと被押圧部４０ｍの相対位置を調整可能に構成される。本例では、鍵部材６０は、リング状部材４０に対して間接的に作用するものであり、図３に例示した鍵部材６０である。
【００５４】
ここで図４に示したリング状部材４０を内蔵する雌ホック２１０の例示の具体的構造について説明する。雄ホック２２０の構造についても併せて説明する。
【００５５】
図１０及び図１１に示すように、雌ホック２１０は、リング状部材４０及び鍵被係合部５０が積層状態で収容器１０内に収容された構成を含む。収容器１０は、３つの独立の金属板１０ａ〜１０ｃの組み合わせから構成されるが、必ずしもこの限りではない。金属板による挟み込みや食い込みにより雌ホック２１０が軟質の引手本体９１に取付けられ、また、金属板による挟み込みにより雄ホック２２０が軟質の引手本体９１に取付けられる。引手本体９１が金属製や樹脂製であれば、異なる態様での取付が考えられる。
【００５６】
鍵被係合部５０とリング状部材４０が嵌合しており、軸ＡＸ周りに一緒に回転可能である。リング状部材４０は、その上面に係合凸部４０ｙを有し、鍵被係合部５０は、その下面に係合凹部５０ｙを有する。係合凸部４０ｙと係合凹部５０ｙの嵌合により、図３に例示した鍵部材６０により鍵被係合部５０に付与された回転力がリング状部材４０へ伝達する。リング状部材４０と鍵被係合部５０とを別体とすることにより、両者の各機能に応じて最適な材料を選ぶことができるが、必ずしもこの限りではなく、リング状部材４０と鍵被係合部５０とを一体化しても良い。鍵被係合部５０とリング状部材４０の間で係合凸部及び係合凹部の配置を逆にしても良い。
【００５７】
鍵被係合部５０の下面には凹部Ｐ５６が設けられ、リング状部材４０には当該リンク体４０を貫通する貫通孔Ｐ４０が設けられ、鍵被係合部５０の凹部Ｐ５６とリング状部材４０の貫通孔Ｐ４０が連続する。凹部Ｐ５６と貫通孔Ｐ４０の連通により、雄ホック２２０のポスト１０５の頭部１０５ｂを受け入れる空間が生じる。凹部Ｐ５６と貫通孔Ｐ４０の連続空間に等しい受入空間を画定する受入部Ｐ２１０は、リング状部材４０と鍵被係合部５０の積層により構成されるが、必ずしもこの限りではない。
【００５８】
受入部Ｐ２１０の受け口（リング状部材４０の受け口）の最小径Ｗ４０は、ポスト１０５の最大径Ｗ１０５未満である。従って、リング状部材４０が半径方向外側へ変形し、リング状部材４０の受け口の径Ｗ４０が拡大し、これにより、受入部Ｐ２１０内へのポスト１０５の進入が許容される。受入部Ｐ２１０にポスト１０５が完全に挿入された状態のとき、リング状部材４０が元形状に復帰し、受入部Ｐ２１０からのポスト１０５の離脱が抑止される。
【００５９】
収容器１０は、リング状部材４０及び鍵被係合部５０の積層体を収容する筒部１０ａ、及び筒部１０ａの外周に設けられる取付部１０ｂ及びカバー１０ｃを有する。
【００６０】
筒部１０ａは、底部１１、周壁部１２、及び湾曲部１３を有する。底部１１の中心には開口が開口しており、底部１１が環状に構成される。底部１１上にはリング状部材４０が載置される。周壁部１２は、底部１１の外周端から軸ＡＸに沿って延在して立ち上がり、リング状部材４０を周囲する。湾曲部１３は、自身の先端が周壁部１２の外周面を臨むまで周壁部１２の先端が半径方向外側及び下方へ湾曲した部分であり、取付部２０に対して係合する係合部である。
【００６１】
取付部１０ｂは、押え部２１、周壁部２２、及び湾曲部２３を有する。押え部２１は、周壁部２２の下端から半径方向外側へ延在し、引手本体９１を下方から押し付ける。周壁部２２は、押え部２１の内周端から軸ＡＸに沿って延在して立ち上がり、リング状部材４０を周囲する。筒部１０ａの周壁部１２を内周側周壁部と呼び、取付部１０ｂの周壁部２２を外周側周壁部と呼んでも良い。湾曲部２３は、自身の先端が周壁部２２の外周面を臨むまで周壁部２２の上端が半径方向外側から下方へ湾曲された部分であり、湾曲部１３に対して係合する係合部である。
【００６２】
カバー１０ｃは、平板部３１、及び外周側部３２を有する。平板部３１の中心には開口が設けられており、平板部３１が環状に構成される。平板部３１の開口端は、リング状部材４０と鍵被係合部５０を収容器１０内に閉じ込めるための位置規制部である。外周側部３２は、平板部３１の外周から軸ＡＸに沿って下方へ延在する。外周側部３２の下端部分は、内側へ傾斜するように曲げられている。カバー１０ｃの外周側部３２の下端部分の曲げにより、収容器１０に対してカバー１０ｃが固定され、これと同時に、鍵被係合部５０、リング状部材４０がカバー１０ｃの平板部３１により収容器１０内に閉じ込められる。カバー１０ｃの外周側部３２の下端部分は、引手本体９１を上方から押し付ける部分でもあり、これにより、引手本体９１は、カバー１０ｃの外周側部３２の下端部分と取付部２０の押え部２１との間で上下から好適に挟み込まれる。
【００６３】
リング状部材４０は、樹脂、金属等の平板部材の中心に開口Ｐ４０が設けられた弾性を有する環状部材である。リング状部材４０の本体部分であるリング本体４２の下面には、環状凸部４３が設けられる。環状凸部４３が収容器１０の開口Ｐ１０内に配置され、これにより、収容器１０とリング状部材４０間の位置決めが容易になる。リング本体４２の開口Ｐ４０の直径に相当する開口径（開口幅）は拡大可能であり、これにより、受入部Ｐ２１０へのポスト１０５の挿入／受入部Ｐ２１０からのポスト１０５の引き抜きが許容される。なお、本実施形態においては、後述の説明から明らかになるように、雌ホック２１０は、リング本体４２の開口形状の変形が制限される状態と制限されない状態を持ち、各状態が周方向におけるリング状部材４０と収容器１０の相対位置に応じて決定される。
【００６４】
リング状部材４０の内周側面４１の下部４１ｐが半径方向内側へ弧状に膨出し、リング状部材４０の内周側面４１の上部４１ｑが半径方向外側へ弧状に窪んでおり、リング状部材４０の内周側面４１が断面視して波状に構成される。
【００６５】
鍵被係合部５０は、その上面に上述の「Ｈ」状の凹部Ｐ５５が設けられ、下面にポスト１０５の頂部を受け入れる凹部Ｐ５６が設けられた円盤状部材であり、かつ軸ＡＸを回転軸として受動回転する受動回転部である。鍵被係合部５０は、樹脂、金属等の平板部材であり、好適には、リング状部材４０とは異なる材料から構成される。凹部Ｐ５５は、図３に示すような鍵部材６０の凸部６３が嵌合する部分である。鍵被係合部５０の下面の凹部Ｐ５６は、平坦面の底面５６ｐと、底面５６ｐの外周に接続の内周側面５６ｑにより画定される。
【００６６】
鍵被係合部５０の外側肉厚Ｗ５０ａ＜内側肉厚Ｗ５０ｂの関係が成立する。これに応じて鍵被係合部５０の上側の外周縁には段差部５２が設けられる。段差部５２は、平坦面を有し、平坦面上にカバー１０ｃの平板部３１の内周端部が配置される。リング状部材４０と鍵被係合部５０の積層体は、カバー１０ｃの平板部３１と収容器１０の底部１１との間で上下から位置規制される。鍵被係合部５０の肉厚Ｗ５０ｂの部分は、凹部Ｐ５６により薄肉化され、また、凹部Ｐ５５により更に部分的に薄肉化される。
【００６７】
収容器１０は、真鍮、銅合金、ステンレス、アルミニウムなど、塑性変形する金属材料の金属板から構成される。リング状部材４０は、任意の程度の弾性を具備し、例示的には、ポリエステル、ポリアミド、ポリウレタン、ポリアセタール、ポリブチレンテレフタレートなどの合成樹脂等の材料から構成される。鍵被係合部５０は、所望の強度を有する上記の合成樹脂や、上記の金属等の材料から構成される。
【００６８】
図１０及び図１２を参照して雄ホック２２０の構成について説明する。雄ホック２２０は、雌ホック２１０の受入部Ｐ２１０に受け入れられて保持されるポスト１０５を有する。ポスト１０５は、先端側が基端側よりも膨大の形状を有し、端的には、小径の首部１０５ａ及び大径の頭部１０５ｂを有する。頭部１０５ｂは、首部１０５ａよりも径大、若しくは幅広に構成される。なお、雌ホック２１０の受入部Ｐ２１０へポスト１０５が差し込まれることは、頭部１０５ｂによりリング状部材４０の開口Ｐ４０の開口径が広げられることにより許容される。
【００６９】
雄ホック２２０は、下側部材１１０及び上側部材１２０から構成される。下側部材１１０は、ベース１１１、及びポスト内壁部１１２を有する。ベース１１１は、引手本体９１を下側から押圧する環状の平板部である。ポスト内壁部１１２は、軸ＡＸに沿って延在しかつ両端が解放した中空筒部である。ポスト内壁部１１２は、引手本体９１を貫通する部分である。ポスト内壁部１１２の上端外周部は、半径方向外側に凸状に湾曲した湾曲部１１３が設けられ、この部分が上側部材１２０の対応する湾曲部１２３に係合する。
【００７０】
上側部材１２０は、ベース１２１、及びポスト外壁部１２２を有する。ベース１２１は、引手本体９１を上側から押圧する部分であり、環状の平板部である。ポスト外壁部１２２は、下端が解放し上端が閉じた部分であり、その上端外周部が半径方向外側へ凸状に湾曲した湾曲部１２３が設けられ、この部分が下側部材１１０に係合する。ポスト内壁部１１２の湾曲部１１３とポスト外壁部１２２の湾曲部１２３が合致することにより、上側部材１２０と下側部材１１０が互いに係止される。
【００７１】
引手本体９１は、ベース１１１とベース１２１により上下から挟み込まれる。必要に応じて、ベース１１１及びベース１２１により引手本体９１が挟み込まれた状態で雄ホック２２０がプレス処理され、ベース１１１に複数の凹部１１５が設けられ、ベース１２１に複数の凸部１２５が設けられ、これにより、引手本体９１に雄ホック２２０が強固に取り付けられる。なお、図１２に示すように、雄ホック２２０は、軸ＡＸ周りに６０°の回転対称に６か所でプレス処理されている。
【００７２】
図１３及び図１４を参照して、雌ホック２１０と雄ホック２２０の係合動作について説明する。なお、雌ホック２１０と雄ホック２２０の係合により各引手９０が重合する。
【００７３】
まず、リング状部材４０の開口Ｐ４０にポスト１０５の頭部１０５ｂを圧入する。雌ホック２１０にポスト１０５が挿入される際、開口Ｐ４０の直径がポスト１０５の頭部１０５ｂの直径より小さいため、開口Ｐ４０の直径を拡大するようにポスト１０５がリング状部材４０を弾性変形させる。これに応じて、リング状部材４０の開口Ｐ４０が半径方向外側へ拡大する。リング状部材４０の突出部４０ｍと収容器１０の周壁部１２との間には十分なクリアランスが存在するため、リング状部材４０の十分な変形が許容され、収容器１０により許容される開口Ｐ４０の拡大の程度が十分に確保される。雌ホック２１０から雄ホック２２０のポスト１０５を抜き出す場合も同様である。
【００７４】
頭部１０５ｂが開口Ｐ４０を通った後、リング状部材４０が元の形状に弾性復帰して開口Ｐ４０が元の直径に戻り、首部１０５ａに係合する。首部１０５ａの直径は、頭部１０５ｂの直径より小さく、かつ開口Ｐ４０の最小直径よりも小さくても良い。「ロック状態」では、開口Ｐ４０の直径が拡大することが抑制されるため、頭部１０５ｂが開口Ｐ４０を通ることが困難となる。
【００７５】
この後、鍵部材６０により鍵被係合部５０を回転させ、図４（ａ）から図４（ｂ）に示す位置までリング状部材４０を回転する。これにより、図４（ａ）の「非ロック状態」から図４（ｂ）の「ロック状態」に推移する。「ロック状態」のとき、リング状部材４０の突出部４０ｍと収容器１０の突出部１０ｍとが対向しており、リング状部材４０の変形が制限された状態にあり、つまり、「非ロック状態」と比較して、収容器１０により許容されるリング状部材４０の開口Ｐ４０の拡大の程度が小さい。従って、雌ホック２１０の受入部Ｐ２１０からポスト１０５を抜き出すことは容易ではなく、同様に、雌ホック２１０の受入部Ｐ２１０にポスト１０５を差し込むことは容易ではない。なお、容易ではないということは、程度の問題であり、不可能であることを意味しない。
【００７６】
図１４に示す状態で雌ホック２１０から雄ホック２２０のポスト１０５を抜き出す場合、リング状部材４０の突出部４０ｍが半径方向外側へ移動しようとするが、収容器１０の押圧部１０ｍにより阻止され、結果として、リング状部材４０の開口Ｐ４０の開口径の拡大が制限され、その抜き出しが困難又は容易ではない。
【００７７】
図４（ａ）及び図４（ｂ）に示す状態の切り替えの把握を利用者に報知するために、鍵被係合部５０及びリング状部材４０の少なくとも一方の回転範囲の所定角度範囲、好適には９０°に制限することが好ましい。図１５及び図１６を参照して鍵被係合部５０の回転範囲を規制する構造について説明する。図４（ａ）と図４（ｂ）に示す各状態は、例えば、鍵被係合部５０の時計周りの停止位置と鍵被係合部５０の反時計周りの停止位置に対応する。
【００７８】
図１５に示すように、鍵被係合部５０の外周側面には、周方向沿いに所定範囲に連続した溝部５５が設けられ、溝部５５の周方向の延在範囲が停止端５５ａ、５５ｂにより規定されている。鍵被係合部５０の外周の１／４の範囲で溝部５５が設けられる。収容器１０の周壁部１２には、溝部５５内に配置され、かつ溝部５５の停止端５５ａ、５５ｂの衝突が予定されている停止部１２ｋが設けられている。
【００７９】
図１５に示すとき、停止端５５ｂが停止部１２ｋに衝突しており、これにより、鍵被係合部５０の更なる時計回りの回転が禁止される。鍵被係合部５０の反時計周りの回転は、停止端５５ａが停止部１２ｋに衝突することにより禁止される。このように鍵被係合部５０の回転範囲を９０°に制限することにより、鍵被係合部５０が停止する２つの停止位置（回転停止位置）を設定することができ、一方の停止位置に対応付けて雌ホック２１０と雄ホック２２０のポスト１０５を強く係合させ、他方の停止位置に対応付て雌ホック２１０と雄ホック２２０のポスト１０５を弱く係合させることができる。端的には、一方の停止位置において押圧部１０ｍと被押圧部４０ｍを対向させ、他方の停止位置において押圧部１０ｍと被押圧部４０ｍを非対向にすることができる。この点は、他の形態、例えば、図６に示した形態についても同様に活用できる。
【００８０】
図１６に示すように、リング状部材４０の外周側面にも、鍵被係合部５０と同様の溝が設けられている。リング状部材４０と鍵被係合部５０とは一緒に回転するものであるため、鍵被係合部５０と同様、リング状部材４０の回転範囲も制限することが望ましい。なお、停止部１２ｋは、必ずしも収容器１０の周壁部１２自体である必要はなく、別部材であっても良い。リング状部材４０及び鍵被係合部５０の回転範囲を規制する具体的な態様は任意であり、上述のように収容器１０を活用してリング状部材４０及び鍵被係合部５０の回転範囲を制限することの他、カバー１０ｃを活用して鍵被係合部５０の回転範囲を制限しても良い。
【００８１】
なお、リング状部材４０の被押圧部４０ｍと収容器１０の押圧部１０ｍが対向するとき、被押圧部４０ｍと押圧部１０ｍを接触させるか否かは任意である。なお、両者を接触若しくは圧迫させてリング状部材４０の開口形状を正円から楕円形へ変形させても良く、この場合、楕円形の短軸長さが正円の直径より短くなり、雄ホック２２０のポスト１０５をより強く保持できる。
【００８２】
次に図６に示したリング状部材４０を内蔵する雌ホック２１０の例示の具体的構造について説明する。
【００８３】
図４に関連して上述した場合、リング状部材が単一の環状の弾性材料から構成されていた。他方、図６に関連の形態では、リング状部材に含まれるリング本体を複数の分割片に分割し、リング状部材の変形がリング本体の各分割片の変位により達成される。この場合でも、オプションとして、任意の方法、例えば、バネ等の弾性部材の活用により分割片を元位置へ復帰可能であり、上述の実施形態と同様の効果を得ることができる。リング状部材のリング本体の分割により得られる分割片を金属材で構成すれば、分割片の強度が高まり、ホックの耐久性が向上される。なお、図６に示す形態では、リング状部材のリング本体を２分割しているが、３分割以上に分割しても良い。
【００８４】
なお、周方向における押圧部１０ｍと被押圧部４０ｍの相対位置に応じて、換言すれば周方向における収容器１０に対するリング状部材４０の回転に応じて、収容器１０により許容されるリング状部材４０の変形の程度が変化する点、及び収容器１０により許容されるリング状部材４０の開口Ｐ４０の拡大の程度が変化する点は上述の場合と同様である。
【００８５】
図１７及び図１８に示すように雌ホック２１０の収容器１０内に一組のＵ字部４５ｐ、４５ｑが配置される。Ｕ字部４５ｐ、４５ｑは、リング本体４２の分割片である。Ｕ字部４５ｐの一端の端面には凸状嵌合部４５ｐ１が設けられ、Ｕ字部４５ｐの他端の端面には凹状被嵌合部４５ｐ２が設けられ、Ｕ字部４５ｐの両端間の中央部の上面には挿入突起４５ｐ５が突出して設けられる。挿入突起４５ｐ５は、リング状部材４０上に配置される鍵被係合部５０の底面の凹状の被挿入部５９ｐに挿入される。Ｕ字部４５ｑの構成は、Ｕ字部４５ｐと同様であり、重複説明は省略する。なお、Ｕ字部４５ｑの凸状嵌合部４５ｑ１、凹状被嵌合部４５ｑ２、挿入突起４５ｑ５が、Ｕ字部４５ｐの凸状嵌合部４５ｐ１、凹状被嵌合部４５ｐ２、挿入突起４５ｐ５に対応する。
【００８６】
Ｕ字部４５ｐの凸状嵌合部４５ｐ１がＵ字部４５ｑの凹状被嵌合部４５ｑ２に緩く嵌合し、Ｕ字部４５ｑの凸部４５ｑ１がＵ字部４５ｐの凹部４５ｐ２に緩く嵌合し、これにより、Ｕ字部４５ｐとＵ字部４５ｑ同士の間隔の拡大及び縮小、換言すれば、リング状部材４０の開口Ｐ４０の開口幅の拡大及び縮小が確保される。
【００８７】
図１７に示すように収容器１０内には上述の一組のＵ字部４５ｐ、４５ｑに対応して一組の板バネ４９ｐ、４９ｑが設けられる。図１９に示すように、板バネ４９ｐは、初期姿勢が平坦の一定厚の金属板である。板バネ４９ｐは、長尺な平板部４９ｐ５と、平板部４９ｐ５の両端の中央において突出して設けられた挿入片４９ｐ６を有する。板バネ４９ｑの構成は、板バネ４９ｐと同様であり、重複説明は省略する。
【００８８】
図２０も追加的に参照して説明する。板バネ４９ｐが、Ｕ字部４５ｐと収容器１０の間に配置され、その平板部４９ｐ５がＵ字部４５ｐの外周側面と収容器１０の内周側面との間で弧状に湾曲するように強いられ、板バネ４９ｐの平板部４５ｐ５には直線状の初期形状に復帰するバネ力が付与される。板バネ４９ｑについても同様に、Ｕ字部４５ｑと収容器１０の間に配置されて、板バネ４９ｐのバネ力に等しいバネ力が付与される。Ｕ字部４５の半径方向内側への付勢源として板バネを活用する場合、リング状部材４０と収容器１０の間の周方向に連続した空間を利用することができ、板バネのより十分な長さを確保しやすく、つまりより十分なバネ力を確保するのに適する。
【００８９】
図６（ａ）に示すように、板バネ４９ｑの平板部４９ｑ５には、その各端部が半径方向外側へ変位するバネ力が与えられる。板バネ４９ｑの平板部４９ｑ５の各端部が収容器１０の内周側面を押圧することに応じてＵ字部４５ｑが半径方向内側へ付勢される。同様にして、板バネ４９ｐのバネ力に応じてＵ字部４５ｐが半径方向内側へ付勢される。このようにしてＵ字部４５ｐとＵ字部４５ｑの閉じ、両者の配置間隔が最小の初期状態が確保及び維持される。
【００９０】
図１７に示すように、板バネ４９ｐの挿入片４９ｐ６は、Ｕ字部４５ｐの挿入突起４５ｐ５と共に鍵被係合部５０の底面の凹状の被挿入部５９ｐに挿入される。板バネ４９ｑの挿入片４９ｑ６は、Ｕ字部４５ｑの挿入突起４５ｑ５と共に鍵被係合部５０の底面の凹状の被挿入部５９ｑに挿入される。鍵被係合部５０の回転に応じて一組のＵ字部と一組の板バネが軸ＡＸ回りに回転する。鍵被係合部５０との関係において各Ｕ字部と各板バネが個別に取り付け可能であり組立容易である。
【００９１】
図６（ａ）に示すとき、板バネ４９ｐ、４９ｑと収容器１０の間には十分な間隔のクリアランスが確保され、Ｕ字部４５ｐとＵ字部４５ｑの配置間隔の拡大が許容される。なお、上述のクリアランスは、板バネ４９ｐ、４９ｑの両端部が収容器１０の内周側面に接触し、板バネ４９ｐ、４９ｑの平板部４５ｐ５に直線状の初期形状に復帰するバネ力が付与されるため生じる。
【００９２】
雄ホック２２０のポスト１０５が雌ホック２２０の受け部Ｐ２１０に挿脱される過程においては、各板バネ４９から各Ｕ字部４５が受ける付勢力に勝る押圧力がポスト１０５から各Ｕ字部４５に与えられ、Ｕ字部４５ｐがポスト１０５により半径方向外側へ押され、Ｕ字部４５ｑがポスト１０５により半径方向外側へ押され、Ｕ字部４５ｐとＵ字部４５ｑの間隔が広がり、開口Ｐ４０の開口幅が拡大する。収容器１０により許容される開口Ｐ４０の拡大の程度が大きいと言える。
【００９３】
図６（ｂ）に示す時、板バネ４９ｐ、４９ｑと収容器１０の間には上述のクリアランスが無くなり、リング状部材４０の開口Ｐ４０の拡大が制限され、そうしようとも収容器１０の剛性により開口幅の更なる拡大は阻止される。
【００９４】
図６に示す開口Ｐ４０には、一組のＵ字部４５ｐ、４５ｑが横に並ぶ方向の寸法の第１開口幅Ｗ４０１と、これに直交する方向の寸法の第２開口幅Ｗ４０２が設定される。第１開口幅Ｗ４０１は、各Ｕ字部４５ｐ、４５ｑが環状に連結するとき、ポスト１０５の頭部１０５ｂの最大直径よりも狭く、各Ｕ字部４５ｐ、４５ｑが離間した状態では、ポスト１０５の頭部１０５ｂの最大直径よりも広くなる。他方、第２開口幅Ｗ４０２は、ポスト１０５の頭部１０５ｂの最大直径よりも僅かに大きく設定される。第１開口幅Ｗ４０１の拡大に応じてポスト１０５の開口Ｐ４０の通過が許容され、第１開口幅Ｗ４０１の縮小に応じてポスト１０５と雌ホック２１０間の係合が確保される。なお、各Ｕ字部４５ｐ、４５ｑが環状に連結した時の開口Ｐ４０の開口形状は、Ｕ字部４５ｐ、４５ｑの横並び方向に幅狭の楕円形状である。
【００９５】
図２０に示すように雌ホック２１０と雄ホック２２０がスナップ係合した後、各Ｕ字部４５ｐ、４５ｑが各板バネ４９ｐ、４９ｑにより半径方向内側へ付勢され、ポスト１０５が環状に連結したＵ字部４５ｐ、４５ｑにより挟み込まれる。上述の第１開口幅Ｗ４０１は、ポスト１０５の頭部１０５ｂの最大直径よりも広い開口幅から狭い開口幅へ復帰する。Ｕ字部４５の元位置への変位に応じて、リング状部材４０の開口Ｐ４０の開口幅が、拡大した開口幅から初期開口幅へ減少する。
【００９６】
なお、図２０の状態下で、雌ホック２１０から雄ホック２２０を引き抜くと、ポスト１０５の頭部１０５ｂによる各Ｕ字部４５の半径方向外側への押圧力が各板バネ４９のバネ力に勝り、Ｕ字部４５ｐ、４５ｑ間の間隔が拡大、つまり、リング状部材４０の開口Ｐ４０が拡大し、ポスト１０５の頭部１０５ｂがリング状部材４０の開口Ｐ４０を通過できる。
【００９７】
雌ホック２１０と雄ホック２２０の係合力は、鍵被係合部５０の回転により調整可能である。図１７に示した鍵被係合部５０を図１７の紙面を正面視して時計回りに９０°回転すると、雌ホック２１０が、図６（ａ）に示した非ロック状態から図６（ｂ）に示したロック状態になる。
【００９８】
図２１に示す時、板バネ４９ｐ、Ｕ字部４５ｐ、Ｕ字部４５ｑ、及び板バネ４９ｑが一組の押圧部１０ｍにより挟まれて、各Ｕ字部４５ｐ、４５ｑの半径方向外側への変位、Ｕ字部４５ｐ、４５ｑの配置間隔の拡大、及びリング状部材４０の開口の拡大が全く若しくは殆ど許容されない状態になる。この時、収容器１０の押圧部１０ｍと板バネ４９ｐ、４９ｑの被押圧部４０ｍが接触し、また、板バネ４９ｐ、４９ｑのその反対面側にＵ字部４５ｐ、４５ｑが接触する。板バネ４９ｐ、４９ｑと押圧部１０ｍの接触により、一組のＵ字部４５ｐ、４５ｑが画定する開口Ｐ４０の拡大が禁止又は抑止される。
【００９９】
図２１に示す時、収容器１０により許容されるＵ字部４５ｐ、４５ｑの半径方向外側への変位が実質的にゼロである。従って、雄ホック２２０のポスト１０５を雌ホック２１０の受け部Ｐ２１０に圧入しても係合し得ない。図２１に示す場合、板バネ４９の厚み分だけ押圧部１０ｍの突出高さを低くすることができる。
【０１００】
図６の参照から理解できるように、板バネ４９にバネ力を付与するための板バネ４９ｐ、４９ｑと収容器１０の接触点と、開口Ｐ４０の拡大を抑制するための板バネ４９ｐ、４９ｑと収容器１０の接触点とは異なる位置にて確保される。板バネ４９にバネ力を付与するための収容器１０に対する板バネ４９の接触点は、板バネ４９ｐ、４９ｑの両端部にある。収容器１０側の接触点については、周方向における押圧部１０ｍの両隣の収容器１０の内側面にある。開口Ｐ４０の拡大を抑制するための収容器１０に対する板バネ４９の接触位置は、板バネ４９ｐ、４９ｑの中央付近にある。収容器１０側の接触点については、押圧部１０ｍの内側面にある。一組のＵ字部４５ｐ、４５ｑが互いに離間する方向に対して平行、かつ開口Ｐ４０の中心を通る仮想線が板バネ４９ｐ、４９ｑと交差する位置が、板バネ４９ｐ、４９ｑの両端間の中央付近にあり、これにより、開口Ｐ４０の拡大の程度を好適に抑制することができる。
【０１０１】
本例においては、リング状部材４０の被押圧部４０ｍ１は、板バネ４９ｐの平板部４９ｐ５の長手方向中央部である。リング状部材４０の被押圧部４０ｍ２は、板バネ４９ｑの平板部４９ｑ５の長手方向中央部である。
【０１０２】
図２１に模式的に示すように雌ホック２１０に雄ホック２２０のポスト１０５がスナップ係合しているとき、板バネ４９ｐ、４９ｑと収容器１０の間にはクリアランスが全く又は殆ど無く、仮に雌ホック２１０の受け部Ｐ２１０からポスト１０５を引き抜こうとしても、Ｕ字部４５ｐ、４５ｑが半径方向外側へ全く若しくは殆ど変位できず、これにより、雌ホック２１０と雄ホック２２０の外れが阻止される。本実施形態においては、雌ホックの係合力に顕著な強弱を付与することができ、雄ホックのポストのロック状態と非ロック状態の間で顕著な係合力の差を付与することができる。収容器１０、Ｕ字部４５ｐ、４５ｑ、板バネ４９ｐ、４９ｑが金属製であるため、雌ホック２１０の強固な係合力を確保できる。
【０１０３】
雌ホック２１０の組立は、例えば、鍵被係合部５０にＵ字部４５ｐ、４５ｑ、板バネ４９ｐ、４９ｑを挿入により嵌合し、これを収容器１０内に配置し、カバー１０ｃで閉じることにより達成可能である。
【０１０４】
＜第２実施形態＞
図２２乃至２５を参照して第２実施形態について説明する。図２２は、スライドファスナーの隣合うファスナースライダーが連結状態にある概略的な側面図であり、模式説明のため雄ホックと雌ホックを断面視して示す。図２３は、スライドファスナーの隣合うファスナースライダーが連結状態にある概略的な上面図である。図２４は、スライドファスナーの隣合うファスナースライダーが連結解除状態にある概略的な側面図であり、模式説明のため雄ホックと雌ホックを断面視して示す。図２５は、スライドファスナーに組み込まれたホックの概略的な断面模式図を示す。
【０１０５】
本実施形態では、各引手９０が、引手本体９１の屈曲を許容する軸ＡＸ９０を有し、これにより、より自由な態様で各引手９０の他端９３同士の重合が許容される。本実施形態の場合、引手９０の構成がやや複雑化するが、視覚的にもユニークな構造の引手とすることができる。引手本体９１の固定端の一端９２と自由端の他端９３の間に軸ＡＸ９０を設けることが望ましい。
【０１０６】
本実施形態では、各引手９０が金属製や樹脂等のある程度の剛性を有する素材から成り、これに応じて、引手本体９１に対する雌ホック２１０及び雄ホック２２０の取り付き態様が第１実施形態に図示のものと異なる。このように引手本体９１の材質に応じて雌ホック２１０や雄ホック２２０の取付構造を変更可能である。なお、これ以外にも、雄ホック２２０や雌ホック２１０を引手本体９１に一体的に組み込むことも可能であり、この場合には、例えば、収容器１０の一部又は全部が引手本体９１により代替される。
【０１０７】
図２２乃至図２５に示す場合、第１実施形態と同様、各引手９０の一端９２を各ファスナー用スライダー８０の後端８０Ｒ側に配置した状態で各引手９０の他端９３同士の重合が許容されるが、必ずしもこの限りではなく、引手９０の具体的な構成によっては、各引手９０の一端９２を各ファスナー用スライダー８０の前端８０Ｆ側に配置した状態で各引手９０の他端９３同士の重合が許容されるだろう。
【０１０８】
第１引手９０ｐは、一端側平板９１ｐ１と他端側平板９１ｐ３が軸ＡＸ９０を介して枢動可能に連結したリンクであり、雄ホック２２０が他端側平板９１ｐ３に設けられる。一端側平板９１ｐ１と他端側平板９１ｑ３の間の軸結合の具体的な態様は任意であるが、例えば、一端側平板９１ｐ１に同軸配置の一組の凹部を設け、他端側平板９１ｐ３に同軸配置の一組の凸部が設け、各凹部と各凸部を嵌合すれば良い。
【０１０９】
第２引手９０ｑは、一端側平板９１ｑ１と他端側平板９１ｑ３が軸ＡＸ９０を介して枢動可能に連結した複合部材であり、雌ホック２１０が他端側平板９１ｑ３に設けられる。一端側平板９１ｑ１と他端側平板９１ｑ３の軸結合の具体的な態様は任意である。
【０１１０】
第１引手９０ｐの一端側平板９１ｐ１の長さは、第２引手９０ｑの一端側平板９１ｑ１の長さよりも短い。第１引手９０ｐの他端側平板９１ｐ３の長さは、第２引手９０ｑの他端側平板９１ｑ３の長さに略等しい。このように互いに連結されるべき各引手の間で一端９２から軸ＡＸ９０までの長さに差異を設けることで各引手の他端９３側での重合を好適に確保できる。第１引手９０ｐ側に雄ホック２２０を設け、第２引手９０ｑ側に雌ホック２１０を設けることが望ましく、これにより、雌ホック２１０の鍵被係合部５０の回転を簡易に行うことができ、鍵部材６０も図３に例示したようなものを用いることができる。
【０１１１】
例えば、第１ファスナー用スライダー８０ｐの第１引手取付柱８６ｐ上に配された第１引手９０ｐの他端側平板部９１ｐ３上に第２ファスナー用スライダー８０ｑの他端側平板部９１ｑ３を重合することができる。図２３に示すように上面視したとき、ファスナー用スライダー８０範囲内に引手９０が収まり、見かけ上のコンパクトを演出できる。図２４に示すように、各引手９０の連結が解除された時、各引手９０は、引手として十分な長さを有し、引手自体の機能が損なわれることがない。
【０１１２】
図２５に示すように、第１引手９０ｐの引手本体９１ｐの両面に窪みが設けられ、第２引手９０ｑに対向する面の窪みに上側部材１２０のベースが配置され、これとは反対面の窪みに下側部材１１０のベースと新たに追加の下側部材１１０を下側から被覆する被覆部材１３０が配置される。引手本体９１ｐにはポスト内壁部１１２が挿通される開口が設けられる。
【０１１３】
第２引手９０ｑの引手本体９１ｑの両面を貫通する貫通孔の径は、図２５を正面視したときの上側で大きくなっており、これに応じて緩慢な傾斜面が設けられ、この傾斜面にカバー１０ｃの先端側が面接触し、これにより、カバー１０ｃと取付部材１０ｂの間で好適に引手本体９１ｑが挟み込まれる。引手９０の十分な強度を確保するため、引手本体９１ｐの開口の開口径を図２５を正面視したときの上側で大きくし、貫通孔周りで引手本体９１ｑを部分的に薄肉化すると良い。
【０１１４】
＜第３実施形態＞
図２６及び図２７を参照して第３実施形態について説明する。図２６は、スライドファスナーのファスナースライダーの概略的な側面図である。図２７は、スライドファスナーのファスナースライダーの概略的な上面図である。
【０１１５】
本実施形態では、第１ファスナー用スライダー８０ｐの第１引手９０ｐではなくそのファスナー用スライダー８０が雄部材として機能し、端的には、そのスライダー本体の上面にポスト１０５が設けられる。より詳細には、第１ファスナー用スライダー８０ｐの第１上翼板８１ｐの上面にポスト１０５が立設される。このような場合においても、横並びのファスナー用スライダー８０の連結を確保できる。
【０１１６】
図２６及び図２７に示すように第１引手９０ｐの引手本体９１ｐがＵ字状に構成され、その両端が第１上翼板８１ｐの各側縁に軸着し、軸ＡＸ８０周りに枢動可能である。第１引手９０ｐと第１ファスナー用スライダー８０ｐの第１本体８１ｐの間の軸着態様は任意である。例えば、第１引手９０ｐの一端９２の凹部又は穴部が第１上翼板８１ｐの側縁の凸部に嵌合するが、この逆であっても良い。第１引手９０ｐの他端９３についても同様である。
【０１１７】
図２６に示すように、第１引手９０ｐは、第１上翼板８１ｐの上面から突出しない姿勢を取ることができる。これにより、第２ファスナー用スライダー８０ｑの第２引手９０ｑを好適に第１ファスナー用スライダー８０ｐの第１上翼板８１ｐ上に倒伏することができる。つまり、第１引手９０ｐにより雄ホック２２０と雌ホック２１０のスナップ係合が妨げられない。換言すれば、このように第１引手９０ｐを構成することが望ましい。
【０１１８】
＜第４実施形態＞
図２８を参照して第４実施形態について説明する。図２８は、スライドファスナーの概略的な正面図であり、雄フックがファスナーテープに設けられる例を示す。
【０１１９】
一組のファスナー用スライダー８０の一組の引手９０の一方に雌ホック２１０を設け、他方に雄ホック２２０を設けるのではなく、一組の引手９０に雌ホック２１０を設け、ファスナー用スライダー８０の周囲に１以上の雄ホック２２０を設けても良い。このような場合には、雄ホック２２０の取付位置でファスナー用スライダー８０を位置固定することができる。雄ホック２２０のポスト１０５のみを雄部材として設けても良い。
【０１２０】
図２８は、第１ファスナー用スライダー８０ｐの第１引手９０ｐの雌ホック２１０が雄ホック２２０のポスト１０５から離脱した状態を示し、第２ファスナー用スライダー８０ｑの第２引手９０ｑの雌ホック２１０が雄ホック２２０にスナップ係合し、かつ雌ホック２１０の鍵被係合部５０が回転されて雄ホック２２０のポスト１０５が雌ホック２１０から脱着不能若しくは脱着により強い力が必要の状態を示す。
【０１２１】
＜第５実施形態＞
図２９を参照して第５実施形態について説明する。図２９は、スライドファスナーが組み込まれた鞄の概略的な斜視図であり、ファスナースライダーの引手と鞄に設けられた雄部材を併せて示す。
【０１２２】
本実施形態では、スライドファスナー３００には一つのファスナー用スライダー８０を有するものであり、その引手９０に雌ホック２１０が設けられ、雄ホック２２０がスライドファスナー３００の一端の近傍に設けられる。ファスナーチェーンを閉じた状態のファスナー用スライダー８０の引手９０の雌ホック２１０を雄ホック２２０にスナップ係合させ、雌ホック２１０の鍵被係合部５０を回転させれば雌ホック２１０と雄ホック２２０を脱着不能若しくは脱着を非容易とすることができる。つまり、本願発明は、上述の実施形態の如く隣合うファスナー用スライダー８０同士を連結及び／又は施錠する場合に限られるものではない。
【０１２３】
＜第６実施形態＞
図３０を参照して第６実施形態について説明する。図３０は、スライドファスナーの引手の概略的な斜視図である。本実施形態のように、少なくとも雌ホック２１０が設けられた紐９６を引手本体９１の取付孔を通して引手本体９１に結んでも良い。雄ホック２２０も紐９６に設け、鞄の持ち手やその他の構造物を紐９６で周囲し、この状態で雄ホック２２０と雌ホック２１０をスナップ係合させ、雌ホック２１０の鍵被係合部５０を回転して雌ホック２１０と雄ホック２２０を脱着不能若しくは脱着を非容易としても良い。
【０１２４】
＜第７実施形態＞
図３１を参照して第７実施形態について説明する。図３１は、スライドファスナーの引手の概略的な上面図である。本実施形態のように、引手９０の引手本体９１をシリコーン等の弾性材料で構成し、その一端９２に取付輪を設け、その他端に雌ホック２１０を設けても良い。雄側の引手を同様に構成しても良い。
【０１２５】
＜第８実施形態＞
図３２乃至図３５を参照して第８実施形態について説明する。図３２は、スライドファスナーの概略的な斜視図であり、隣合うファスナースライダーが別体の施錠具により連結されている状態を示す。図３３は、図３２に示した施錠具の分離状態の概略的な上面図である。図３４は、図３２に示した施錠具の連結状態の概略的な上面図であり、隣合うファスナースライダーが連結された状態を示す。図３５は、図３４に示す状態の施錠具のＸ３５−Ｘ３５に沿う概略的な断面図である。
【０１２６】
本実施形態においては、スライドファスナー３００とは別体の施錠具４００を用いて隣合うファスナー用スライダー８０を連結し、これにより、意図しないスライドファスナー３００の開き、若しくは悪意ある第三者がスライドファスナー３００を盗み目的で開けることを抑制可能である。
【０１２７】
図３２乃至図３５に示すように、施錠具４００は、独立部材の雌型施錠片４１０と雄型施錠片４３０を含む。改めて説明するまでもなく、雄型施錠片４３０が「雄部材」であり、雌型施錠片４１０が「雌部材」である。
【０１２８】
雌型施錠片４１０の円盤状の本体部４１１に雄ホック２２０が設けられ、雄型施錠片４３０の円盤状の本体部４３１に雌ホック２１０が設けられる。本体部４１１の外周縁にはＬ字状に先端側で屈曲した脚部４１２が連結し、本体部４３１の外周にも同様に構成された脚部４３２が連結する。本体部４１１の外周縁には本体部４１１と環を成す金属製等のＵ字状の取付部４１４が連結し、本体部４３１の外周にも同様に構成された取付部４３４が連結する。各取付部に紐やワイヤ等の線状部材４１５を通して各施錠片を一緒に紐付けて紛失の防止を図ることができる。脚部４１２の先端には雄ホック２２０のポスト１０５が設けられた側と同じ側に凸状の係合部４１３が設けられ、脚部４３３の先端にそれと組を為す雌ホック２１０の鍵被係合部５０とは反対側に凸状の係合部４３３が設けられる。脚部の具体的な形状は任意であり円弧状であっても構わず、先端側の係合部を省略することも可能である。
【０１２９】
雌型施錠片４１０の脚部４１２を第１ファスナー用スライダー８０ｐの引手取付柱８６ｐと上翼板８１ｐの間の空間に挿通し、雄型施錠片４３０の脚部４１３を第２ファスナー用スライダー８０ｑの引手取付柱８６ｑと上翼板８１ｑの間の空間に挿通し、図３４に示すように各施錠片の各脚の各先端の各係合部を噛み合わせた状態で雄ホック２２０と雌ホック２１０をスナップ係合する。その後、繰り返す説明したように雌ホック２１０の鍵被係合部５０を図３に例示的に示す鍵部材６０で回転させて雌ホック２１０からの雄ホック２２０のポスト１０５の脱着を禁止若しくは抑止する。
【０１３０】
＜第９実施形態＞
図３６乃至図３９を参照して第９実施形態について説明する。図３６は、施錠具を示す概略的な模式図である。図３７は、施錠具の雌型施錠片の構成を示す模式図である。図３８は、施錠具の雄型施錠片の構成を示す模式図である。図３９は、施錠具を鞄の防犯用具として用いた状態を示す説明図である。
【０１３１】
本実施形態に係る施錠具４００は、スライドファスナー３００以外の施錠にも用いることができる施錠具である。このような場合においても防犯対策に有効に活用できる。図３に例示の鍵部材６０を用いて鍵被係合部５０を回転させてホック２００をロック状態又は非ロック状態間で切替え可能である。
【０１３２】
図３６に示す施錠具４００を構成する雌型施錠片４１０及び雄型施錠片４３０は、各々、皮革や人造皮革等の柔軟性を有する可撓性素材から成る本体部４１１及び本体部４３１を含む。図３７及び図３８の参照から理解できるように、本体部４１１及び４３１は、連結リング４５０内に通された状態で折り返される。雄ホック２２０又は雌ホック２１０が、本体部４１１及び４３１の重合部分に取付けられる。この完成状態において、各本体部４１１、４３１の端部側に雄ホック２２０又は雌ホック２１０が設けられ、各本体部４１１、４３１の折返し部側に連結リング４５０が設けられる。連結リング４５０は、チェーン４６０の両端に取付けられている。図３９から理解できるように、施錠具４００により空港の待合席の椅子等の固定構造物と鞄３５０の持ち手をチェーン４６０が周囲するようにして括り付けることができ、雌ホック２１０の鍵被係合部５０を回転させて雌ホック２１０と雄ホック２２０を脱着不能若しくは脱着非容易に施錠すると良い。
【０１３３】
＜第１０実施形態＞
図４０を参照して１０実施形態について説明する。図４０は、ホックを鞄に用いた状態を示す説明図である。本実施形態では、雄ホック２２０自体が雄部材であり、雌ホック２１０自体が雌部材である。図４０では、鞄３５０のホック２００の雄ホック２２０と雌ホック２１０が係合した状態を示す。図３に例示の鍵部材６０を用いて鍵被係合部５０を回転させてホック２００をロック状態又は非ロック状態間で切替え可能である。
【０１３４】
上述の教示を踏まえると、当業者をすれば、各実施形態に対して様々な変更を加えることができる。請求の範囲に盛り込まれた符号は、参考のためであり、請求の範囲を限定解釈する目的で参照されるべきものではない。
【符号の説明】
【０１３５】
３００            スライドファスナー
４００            施錠具
８０ｐ            ファスナー用スライダー
９０ｐ            第１引手
２２０            雄ホック
４１０            雄型施錠片
９０ｑ            第２引手
２１０            雌ホック
４３０            雌型施錠片
１０５            ポスト
１０            収容器（第２部材）
４０            リング状部材（第１部材）
Ｐ４０            開口
４２            リング本体
４５            Ｕ字部（分割片）
１０ｍ            押圧部（接触部）
４０ｍ            被押圧部（被接触部）
６０            鍵部材
【図１】
2014105571.tif 000003
【図２】
2014105571.tif 000004
【図３】
2014105571.tif 000005
【図４】
2014105571.tif 000006
【図５】
2014105571.tif 000007
【図６】
2014105571.tif 000008
【図７】
2014105571.tif 000009
【図８】
2014105571.tif 000010
【図９】
2014105571.tif 000011
【図１０】
2014105571.tif 000012
【図１１】
2014105571.tif 000013
【図１２】
2014105571.tif 000014
【図１３】
2014105571.tif 000015
【図１４】
2014105571.tif 000016
【図１５】
2014105571.tif 000017
【図１６】
2014105571.tif 000018
【図１７】
2014105571.tif 000019
【図１８】
2014105571.tif 000020
【図１９】
2014105571.tif 000021
【図２０】
2014105571.tif 000022
【図２１】
2014105571.tif 000023
【図２２】
2014105571.tif 000024
【図２３】
2014105571.tif 000025
【図２４】
2014105571.tif 000026
【図２５】
2014105571.tif 000027
【図２６】
2014105571.tif 000028
【図２７】
2014105571.tif 000029
【図２８】
2014105571.tif 000030
【図２９】
2014105571.tif 000031
【図３０】
2014105571.tif 000032
【図３１】
2014105571.tif 000033
【図３２】
2014105571.tif 000034
【図３３】
2014105571.tif 000035
【図３４】
2014105571.tif 000036
【図３５】
2014105571.tif 000037
【図３６】
2014105571.tif 000038
【図３７】
2014105571.tif 000039
【図３８】
2014105571.tif 000040
【図３９】
2014105571.tif 000041
【図４０】
2014105571.tif 000042